(57)【要約】【課題】歯を切削することもなく、歯並びの悪い歯に人工歯を貼り付けることで、簡単かつ短時間で歯列を変形させ、口腔の周囲筋肉を人工歯で押圧することにより人の口元の表情を変化させる。【解決手段】人の口元の表情を担当する口筋の大部分を占める上下顎骨体前面における口元の筋肉を、口腔内から押圧して、その口元の表情を可変させるために、不正歯列の歯Ｔに貼り付ける貼着歯１であり、人の歯Ｔと同様な色彩を有する貼着歯表面部３と、口筋を押圧すると共に、適正な歯列が形成される程度の肉厚を有する貼着歯本体２と、貼着歯本体２の裏面に、各歯Ｔの表面形状に係合するように倣い面を形成した貼着面４とから成る。【選択図】図２
2008113851.tif 000002
【特許請求の範囲】
【請求項１】
人の口元の表情を担当する口筋の大部分を占める上下顎骨体前面における口元の筋肉を、口腔内から押圧して、その口元の表情を可変させるために、不正歯列の歯（Ｔ）に貼り付ける貼着歯（１）であって、
人の歯（Ｔ）と同様な色彩を有する貼着歯表面部（３）と、
前記口筋を押圧すると共に、適正な歯列が形成される程度の肉厚を有する貼着歯本体（２）と、
前記貼着歯本体（２）の裏面に、各歯（Ｔ）の表面形状に係合するように倣い面を形成した貼着面（４）と、から成る、ことを特徴とする貼着歯。
【請求項２】
人の口元の表情を担当する口筋の大部分を占める上下顎骨体前面における口元の特定の筋肉を、口腔内から押圧して、その口元の表情を可変させるために、歯列の特定の歯（Ｔ）に貼り付ける貼着歯（１）であって、
人の歯（Ｔ）と同様な色彩を有する貼着歯表面部（３）と、
前記口筋を押圧して、各口筋を上方へ持ち上げる程度の肉厚を有する貼着歯本体（２）と、
前記貼着歯本体（２）の裏面に、各歯（Ｔ）の表面形状に係合するように倣い面を形成した貼着面（４）と、から成る、ことを特徴とする貼着歯。
【請求項３】
前記貼着歯本体（２）は、歯（Ｔ）の根元部分（Ｔａ）に貼り付ける部位の肉厚は薄く、その中間部位（Ｔｂ）と先端部位（Ｔｃ）の肉厚は厚く形成したものである、ことを特徴とする請求項１又は２の貼着歯。
【請求項４】
複数個の貼着歯（１）を連結した、ことを特徴とする請求項１，２又は３の貼着歯。
【請求項５】
前記貼着歯（１）の貼着面（４）に、セメントの貼着力を向上させる細かい凹凸を形成した、ことを特徴とする請求項１又は２の貼着歯。
【請求項６】
前記貼着歯（１）はプラスチック製である、ことを特徴とする請求項１，２，４又は５の貼着歯。
【請求項７】
前記貼着歯（１）はセラミック製である、ことを特徴とする請求項１，２，４又は５の貼着歯。
【請求項８】
前記貼着歯（１）の貼着歯表面部（３）に図柄を形成した、ことを特徴とする請求項１又は２の貼着歯。
【請求項９】
不正歯列における歯（Ｔ）に貼着歯（１）を貼り付けることにより、人の口元の表情を可変させる貼着歯を用いた口元表情の可変方法であって、
先ず、印象材を用いて、不正歯列について型どりをし（Ｓ１）、
この型どりをした印象材を基にして、特定部位の歯（Ｔ）に貼り付けて適正な歯列を形成すると共に、口筋を口腔内から押圧し得る程度の厚みを有する貼着歯（１）を作成し（Ｓ５）、
この作成した貼着歯（１）を、前記不正歯列の原因になる歯（Ｔ）にセメントで貼り付ける（Ｓ６，Ｓ７）、ことを特徴とする貼着歯を用いた口元表情の可変方法。
【請求項１０】
上顎・下顎の歯列全体における各歯（Ｔ）に、肉厚の相違する貼着歯（１）をそれぞれに貼り付ける、ことを特徴とする請求項９の貼着歯を用いた口元表情の可変方法。
【請求項１１】
前記貼着歯（１）を作成する際に、顔面等高線を用いて貼着歯（１）の適正な厚みや形状を測定しながら作成する、ことを特徴とする請求項９又は１０の貼着歯を用いた口元表情の可変方法。
【請求項１２】
特定の歯（Ｔ）に貼着歯（１）を貼り付けることにより、人の口元の表情を可変させる貼着歯を用いた口元表情の可変方法であって、
先ず、特定部位の歯（Ｔ）に貼り付け、口元の筋肉を形成する口輪筋、口角挙筋、口角下制筋等の口筋を押圧し、この口筋を上方へ持ち上げる程度の厚みを有する貼着歯（１）を作成し（Ｓ５）、
この作成した貼着歯（１）を、前記特定の口筋を押圧する位置にある歯（Ｔ）にセメントで貼り付ける（Ｓ６，Ｓ７）、ことを特徴とする貼着歯を用いた口元表情の可変方法。
【請求項１３】
前記貼着歯（１）を、
口唇（Ｌ）の幅を調整するために、前記口輪筋を持ち上げる位置にある、中切歯（Ｔ１）から犬歯（Ｔ３）までに貼り付ける、ことを特徴とする請求項１２の貼着歯を用いた口元表情の可変方法。
【請求項１４】
前記貼着歯（１）を、
口唇（Ｌ）の幅を調整する同時に口角を挙げるために、前記口輪筋を持ち上げる位置にある、小臼歯（Ｔ５）群に貼り付ける、ことを特徴とする請求項１２の貼着歯を用いた口元表情の可変方法。
【請求項１５】
前記貼着歯（１）を、
頬全体を持ち上げるように、顔面の浅層にあたる上唇鼻翼挙筋、上唇挙筋及び小頬肩筋と連動して、これらの口筋を持ち上げる大頬骨筋を持ち上げる位置にある、小臼歯（Ｔ５）群と大臼歯（Ｔ６）群に貼り付ける、ことを特徴とする請求項１２の貼着歯を用いた口元表情の可変方法。
【請求項１６】
前記貼着歯（１）を、下顎の特定部位の歯に貼り付ける、ことを特徴とする請求項１２，１３，１４又は１５の貼着歯を用いた口元表情の可変方法。
【発明の詳細な説明】
【技術分野】
【０００１】
本発明は、人の歯に人工の歯を貼り付けることにより、その人の口元の表情を変化させることができる貼着歯及びこれを用いた口元表情の可変方法に関するものである。
【背景技術】
【０００２】
人の歯並びと歯の形状や色は、その人の顔の表情に大きく影響するものである。人の口元から醸し出される美しい笑みは、周囲の人に対してさわやかで、清潔で、明るそうなイメージを与える。そこで、不正歯列いわゆる歯並びの悪い人は、子供の頃に歯科矯正、歯のクリーニングやホワイトニング等をすることが多い。
【０００３】
逆に、歯並びや歯の色が悪い人は、口元にコンプレックスを感じることが多い。特に女性は強くコンプレックスを感じるものである。このような顔の表情に大きく影響を与える人の不正歯列の状態について様々なものがある。例えば、「乱ぐい歯」、「上顎前突歯」、「反対咬合」、「開咬」、「過蓋咬合」及び「切端咬合」等がある。
【０００４】
ここで、「乱ぐい歯」は、いわゆる「八重歯、叢生」と称され、上顎も下顎も歯がきれいにアーチ状に並んでいないでガタガタした歯並びの状態である。「上顎前突歯」は、いわゆる「出っ歯」と称され、上の歯が前に出ている咬み合わせで、歯が出ていると、折れたり唇をきったりしやすい歯並びの状態である。「反対咬合」は、いわゆる「受け口」と称され、下の歯が上の歯より前に出ている咬み合わせの状態である。「開咬」は、いわゆる「オープンバイト」と称され、噛んでいるのに前歯が閉じないもので、上の前歯と下の前歯が咬み合わず隙間が開いている状態である。「過蓋咬合」は、前歯の咬み合わせが深く下の前歯が見えない状態である。「切端咬合」は、上下の前歯が重ならず切端と切端がぶつかる咬み方になる状態である。このような歯並びを修整する場合は、従来から矯正または補綴矯正をしていた。
【発明の開示】
【発明が解決しようとする課題】
【０００５】
例えば、この歯列矯正は、ワイヤーとブラケットからなる器具を用いた治療方法であり、歯を動かす力加減や角度、動かす速さ等について、非常に繊細な部分で大きな違いが生じやすい矯正方法である。このワイヤーによる歯列矯正は、３〜４年位の長期の治療期間を要するという問題を有していた。最近では、ワイヤーを目立たなくするために歯列の裏側に装着する方法が提案されている。しかし、この歯列の裏側矯正は、更に複雑な技術が求められるものであった。
【０００６】
そこで、本発明の発明者は、不正歯列の凹凸の程度に大小があることに着目した。即ち、極端に歯並びが悪いときは、このようなワイヤーによる歯列矯正が必要になる。しかし、口元の表情に影響は出ているが、歯並びの凹凸が極端ではないときは、必ずしもワイヤーによる矯正は必要にないことに着目した。
【０００７】
一方、本発明の発明者は、人の不正歯列は、口元を形成する筋肉群と、その顔の表情に大きく影響することに着目した。例えば、図４と図５の表情筋（口筋）の説明図に示すように、口元の表情を担当する口筋の大部分は、上下顎骨体前面よりおこり、口角の直ぐ外方にある結節に向かって集まり、これを通って可動性の口唇に拡がり、口筋の構成に関与している。そこで、これらの口輪筋、口角挙筋、口角下制筋等の筋肉は、本来の筋肉の緊張に左右されるが、歯槽部、歯列によりある程度支持され、その位置と形状を保持している。即ち、人の口元の表情は、この歯槽部、歯列により形成されている。
【０００８】
このような構成で形成された口元の表情について、例えば歯牙が喪失し、歯槽部の吸収が起こると、口唇は後退し、鼻唇溝は深くなり、口元の表情が変化する。同様に、歯並びが悪いと口筋にも変化を及ぼし、顔面の美的バランスが崩れる。更には、上下の咬合関係も不安定になり、上下口唇の接触範囲が広くなり口元の表情に大きな変化が生じる。
【０００９】
咬み合せが悪い人については、それを調整又は改善、回復を図る技術が提案されている。例えば特許文献１の特開平１１−２０６７８６号公報「咬み合せ調整器」のように、夫々人の奥歯の間に介在できるように全体を希望する厚さの細長い板状に形成し、且つ、少くともその外側縁に頬板を断面略Ｔ字状に連設した左右の噛み板を、各々弾性を備えた合成樹脂材料を用いて一体成形すると共に、これ等２枚の噛み板を左右に間隔をあけて並べた状態にして、その先端部の間を屈曲可能な連結線を用いて一体に連結して構成した噛み合せ調整器が提案されている。
【特許文献１】特開平１１−２０６７８６号
【００１０】
この特許文献１の「咬み合せ調整器」は、口腔の周囲筋肉は左右対称的に骨格に付着しているため、口腔内の容積が小さくなって筋肉の動きのバランスに歪みが生じると、左右の目の大きさや形が違ったり、口唇の厚さや形が違ったり、更には、手足の長さが違ったりする顔貌及び全身的な変化が発生し、これが原因で生活習慣の動きと共に頭痛、肩こり、腰痛、膝痛、或は、歩行困難と云った各種の症状を改善できるという効果があった。
この特許文献１の「咬み合せ調整器」では、咀嚼を改善するときには大きな効果はあるが、本発明が課題にしている口元の表情を変えるものではなかった。
【００１１】
本発明は、かかる問題点を解決するために創案されたものである。すなわち、本発明の目的は、歯を切削することもなく、歯並びの悪い歯に人工歯を貼り付けることで、簡単かつ短時間で歯列を変形させ、口腔の周囲筋肉を人工歯で押圧することにより人の口元の表情を変化させることができる貼着歯及びこれを用いた口元表情の可変方法を提供することにある。
【課題を解決するための手段】
【００１２】
本発明の貼着歯によれば、人の口元の表情を担当する口筋の大部分を占める上下顎骨体前面における口元の筋肉を、口腔内から押圧して、その口元の表情を可変させるために、不正歯列の歯（Ｔ）に貼り付ける貼着歯（１）であって、人の歯（Ｔ）と同様な色彩を有する貼着歯表面部（３）と、前記口筋を押圧すると共に、適正な歯列が形成される程度の肉厚を有する貼着歯本体（２）と、前記貼着歯本体（２）の裏面に、各歯（Ｔ）の表面形状に係合するように倣い面を形成した貼着面（４）と、から成る、ことを特徴とする貼着歯が提供される。
【００１３】
また、特に口元の表情を変える貼着歯は、人の口元の表情を担当する口筋の大部分を占める上下顎骨体前面における口元の特定の筋肉を、口腔内から押圧して、その口元の表情を可変させるために、歯列の特定の歯（Ｔ）に貼り付ける貼着歯（１）であって、人の歯（Ｔ）と同様な色彩を有する貼着歯表面部（３）と、前記口筋を押圧して、各口筋を上方へ持ち上げる程度の肉厚を有する貼着歯本体（２）と、前記貼着歯本体（２）の裏面に、各歯（Ｔ）の表面形状に係合するように倣い面を形成した貼着面（４）と、から成るものが好ましい。
【００１４】
前記貼着歯本体（２）は、歯（Ｔ）の根元部分（Ｔａ）に貼り付ける部位の肉厚は薄く、その中間部位（Ｔｂ）と先端部位（Ｔｃ）の肉厚は厚く形成することが好ましい。
複数個の貼着歯（１）を連結することができる。
前記貼着歯（１）の貼着面（４）に、セメントの貼着力を向上させる細かい凹凸を形成することが好ましい。
【００１５】
例えば  前記貼着歯（１）はプラスチック製又はセラミック製である。
前記貼着歯（１）の貼着歯表面部（３）に図柄を形成することができる。
【００１６】
本発明の口元表情の可変方法によれば、不正歯列における歯（Ｔ）に貼着歯（１）を貼り付けることにより、人の口元の表情を可変させる貼着歯を用いた口元表情の可変方法であって、先ず、印象材を用いて、不正歯列について型どりをし（Ｓ１）、この型どりをした印象材を基にして、特定部位の歯（Ｔ）に貼り付けて適正な歯列を形成すると共に、口筋を口腔内から押圧し得る程度の厚みを有する貼着歯（１）を作成し（Ｓ５）、この作成した貼着歯（１）を、前記不正歯列の原因になる歯（Ｔ）にセメントで貼り付ける（Ｓ６，Ｓ７）、ことを特徴とする貼着歯を用いた口元表情の可変方法が提供される。
【００１７】
例えば、上顎・下顎の歯列全体における各歯（Ｔ）に、肉厚の相違する貼着歯（１）をそれぞれに貼り付ける。
記貼着歯（１）を作成する際に、顔面等高線を用いて貼着歯（１）の適正な厚みや形状を測定しながら作成することができる。
【００１８】
また、本発明の口元表情の可変方法によれば、特定の歯（Ｔ）に貼着歯（１）を貼り付けることにより、人の口元の表情を可変させる貼着歯を用いた口元表情の可変方法であって、先ず、特定部位の歯（Ｔ）に貼り付け、口元の筋肉を形成する口輪筋、口角挙筋、口角下制筋等の口筋を押圧し、この口筋を上方へ持ち上げる程度の厚みを有する貼着歯（１）を作成し（Ｓ５）、この作成した貼着歯（１）を、前記特定の口筋を押圧する位置にある歯（Ｔ）にセメントで貼り付ける（Ｓ６，Ｓ７）、ことを特徴とする貼着歯を用いた口元表情の可変方法が提供される。
【００１９】
例えば、前記貼着歯（１）を、口唇（Ｌ）の幅を調整するために、前記口輪筋を持ち上げる位置にある、中切歯（Ｔ１）から犬歯（Ｔ３）までに貼り付ける。
前記貼着歯（１）を、口唇（Ｌ）の幅を調整する同時に口角を挙げるために、前記口輪筋を持ち上げる位置にある、小臼歯（Ｔ５）群に貼り付ける。
前記貼着歯（１）を、頬全体を持ち上げるように、顔面の浅層にあたる上唇鼻翼挙筋、上唇挙筋及び小頬肩筋と連動して、これらの口筋を持ち上げる大頬骨筋を持ち上げる位置にある、小臼歯（Ｔ５）群と大臼歯（Ｔ６）群に貼り付ける。
前記貼着歯（１）を、下顎の特定部位の歯に貼り付けることができる。
【発明の効果】
【００２０】
本発明の貼着歯（１）では、この貼着歯（１）を不正歯列の凹んだ歯（Ｔ）又は特定の歯（Ｔ）に貼り付け、上下顎骨体前面における口輪筋、口角挙筋、口角下制筋等の口筋を口腔内から上外方又は下外方へ押圧することにより、その人の口元の表情を変化させることができる。即ち、歯列の凹んだ特定部位の歯（Ｔ）が原因して、口筋に変化を及ぼし、顔面の美的バランスが崩れていることを改善することができる。更に、上下の咬合関係を安定にすると共に、上下口唇（Ｌ）の接触範囲を広くすることなく口元の表情を改善することができる。
特に、本発明では、歯を切削することがないので、簡単かつ短時間で歯並びを修正し、人の口元の表情を変化させることができる。
【００２１】
本発明の可変方法では、ワイヤーとブラケットを使用しない方法であり、２〜３年という長期間を要することがなく、また貼着歯（１）を貼り変えることで、様々な口元の表情を醸成することも可能である。
更に、歯列の前面に貼り付けるものであるために、歯の向きと形状を変化させるだけでなく、くすんだ歯を白い歯に仕上げることができる。
【００２２】
特に、中切歯（Ｔ１）から犬歯（Ｔ３）までに貼着歯（１）を貼り付けたときは、口輪筋を持ち上げ、口元の表情の中で口唇（Ｌ）の幅を調整することにより、赤唇（Ｌ１）が反転して、いわゆる薄い口唇（Ｌ）が厚くなる。
小臼歯（Ｔ５）群に貼着歯（１）を貼り付けたときは、口角挙筋を持ち上げ、この口角挙筋と連動している大頬骨筋を後上方に引き上げて、頬全体がリフトアップされる。更に、この口角挙筋に連動する口角下制筋も引き上げられるので、顎の線がシャープになる。大頬骨筋に連なる眼輪筋にも影響するので目元も上げることができる。
小臼歯（Ｔ５）群と大臼歯（Ｔ６）群に貼着歯（１）を貼り付けたときは、大頬骨筋を持ち上げ、この大頬骨筋と連動している顔面の浅層にあたる上唇鼻翼挙筋、上唇挙筋及び小頬肩筋も持ち上げることにより、頬全体を持ち上げることができる。
【発明を実施するための最良の形態】
【００２３】
本発明は、歯に人工の貼着歯を貼り付け、この貼着歯で人の口元の表情を担当する口筋を口腔内から押圧することにより、この口筋の緊張を緩和して、人の口元の表情を可変させる貼着歯及び可変方法である。
【実施例１】
【００２４】
以下、本発明の好ましい実施の形態を図面を参照して説明する。
図１は実施例１の貼着歯を用いた口元表情の可変方法を示すフロー図である。
本発明の貼着歯を用いた口元表情の可変方法は、図示するように、先ず歯列について印象材を用いて型どりをする（Ｓ１）。例えば、上下顎歯列の型どりを行い、両奥歯（小臼歯、大臼歯）が内側に少量凹んでいると、その凹みが口元の表情に大きな影響を及ぼすので、この歯Ｔに本発明の貼着歯１を貼り付けるかどうかを検討する。
【００２５】
次に、この印象材で型どりをしたものを基にして、歯列を測定し（Ｓ２）、特定部位の歯Ｔに貼り付けるための貼着歯１を作成する（Ｓ５）。この貼着歯１については、顔面の画像をパソコンに取り込み、その画像から凹んでいる口元、又は顔面の歪みをシミュレーションする（Ｓ３）。この顔面シミュレーション（Ｓ３）に基づいて、図４と図５に示した口輪筋、口角挙筋、口角下制筋等の口筋を口腔内から押圧するように貼着歯１の形状とその厚みを測定し（Ｓ４）、それを補填するような形状に貼着歯１を作成する（Ｓ５）。即ち、不正歯列の凹んだ歯Ｔに貼着歯１をセメントで貼り付けることにより（Ｓ６，７）、適正な歯列が形成される。貼着歯１の肉厚としては、０．５〜３．０ｍｍの範囲が多かった。なお、貼着歯１を仮止めするときはセメントに代えて粘着剤を用いる。
【００２６】
本発明の貼着歯１は、単に不正歯列を適正化するだけではなく、この貼着歯１を凹んだ歯Ｔに貼り付けることにより、人の口元の表情を可変させることを目的としている。そこで、この貼着歯１の形状と厚みは重要な意義を有する。型どりに貼着歯１を嵌めた状態から、その人の口元の表情を顔面シミュレーションしながらその形状を特定する（Ｓ３）。あるいは、顔面等高線を用いて貼着歯１の適正な厚みや形状を測定しながら貼着歯１は作成する。例えば、上顎・下顎の臼歯には、大頬骨筋及び口角挙筋を上外方・下外方へ押圧するように、前歯用の貼着歯１より肉厚の貼着歯１を貼り付ける。
【００２７】
このように作成した貼着歯１は、不正歯列の原因になる歯Ｔにセメントで貼着する。例えば、貼着歯１は、口筋における口角挙筋を押圧するように、歯列の凹んだ特定部位における歯Ｔに貼り付ける。本発明では、歯を切削することもなく、不正歯列の凹んだ特定歯Ｔに貼着歯１を付けることで、簡単かつ短時間で歯列を変形させ、人の口元の表情を変化させることができる。また、本発明ではワイヤーとブラケットを使用しない方法であるから２〜３年という長期間を要することがなく、貼着歯１を貼り代えることで、別の口元の表情を醸成することも可能である。
【００２８】
また、主に口元の表情を変えるために、貼着歯１を歯列の特定の歯Ｔに貼り付けるときは、この貼着歯１が口筋を押圧して、各口筋をどの程度上方へ持ち上げるかを測定し、その貼着歯１の肉厚を決定する。歯列の美しさだけでなく、人の口元の表情を変化させるために、口筋をどの程度上方へ持ち上げればよいかを測定する。
【００２９】
貼着歯１は凹んだ歯Ｔのみに貼り付けるのではなく、その周辺にも薄い貼着歯１を貼り付ける。これは歯列を整えると共に、金属の冠歯やテトラサイクリン着色等を隠すことができる。
【００３０】
図２は中切歯用の貼着歯の一例を示すものであり、（ａ）は拡大正面図、（ｂ）は拡大断面図、（ｃ）は貼着歯を貼り付ける前の歯列の正面図、（ｄ）は特定の歯に貼着歯を貼り付けた状態の歯列の正面図である。図３は臼歯用の貼着歯の一例を示すものであり、（ａ）は拡大正面図、（ｂ）は拡大断面図、（ｃ）は貼着歯を貼り付ける前の歯列の正面図、（ｄ）は特定の歯に貼着歯を貼り付けた状態の歯列の正面図である。なお、各図に記載した歯は歯茎から出ている状態を表現している。
本発明の貼着歯１は、貼着歯本体２の表面に貼着歯表面部３を、その裏面に貼着面４とから成り、プラスチック又はセラミック等の素材で作成したものである。貼着歯本体２は、口筋を口腔内から押圧すると共に、適正な歯列が形成される程度の肉厚を有する部分である。この貼着歯本体２の表面側に人の歯Ｔと同様な色彩を有する貼着歯表面部３を形成した。また、貼着歯本体２の裏面に、凹んだ歯Ｔの表面形状に係合するように倣い面を形成した貼着面４を形成した。貼着歯本体２と貼着歯表面部３は異なる材質を貼り合わせたものでも、同じ材質のものでもよい。
【００３１】
この中切歯用の貼着歯１は、図２（ｃ）で黒色に着色した歯列の凹んだ歯Ｔに、図２（ｄ）に示すように、セメントで貼り付ける。図示例では１箇所のみに貼着歯１を貼り付けているが、上述したようにその周囲に、他の薄い貼着歯１を数枚貼り付けることもできる。中切歯用と側切歯用の貼着歯１には、いわゆる外光を反射させて、歯列即ち口元に明るさを付与するという重要な機能があるからである。
【００３２】
本発明の貼着歯１の厚みは、これを貼着する歯Ｔの状態に応じてその寸法が決定される。この貼着歯１を不正歯列の凹んだ歯Ｔに貼り付けたときに、口筋の大部分を占める上下顎骨体前面における口筋を口腔内から押圧する程度に突出量を有するように形成する。例えば、中切歯用の貼着歯１は、図２（ｂ）に示すように、その貼着歯本体２は、歯Ｔの根元部分Ｔaに貼り付ける部位の肉厚は薄く、その中間部位Ｔｂと先端部位Ｔｃの肉厚は厚く形成する。この中間部位Ｔｂの肉厚部分は、口筋を口腔内から押し上げる機能を有する。
【００３３】
臼歯用の貼着歯１も同様に、図３（ｂ）に示すように、その貼着歯本体２は、歯Ｔの根元部分Ｔaに貼り付ける部位の肉厚は薄く、その中間部位Ｔｂと先端部位Ｔｃの肉厚は厚く形成する。この中間部位Ｔｂの肉厚部分は、口筋を口腔内から押し上げる機能を有する。この臼歯用の貼着歯１は、図３（ｃ）で黒色に着色した歯列の凹んだ歯Ｔに、図３（ｄ）に示すように、セメントで貼り付ける。
【００３４】
本発明の貼着歯１は、口筋における大頬骨筋及び口角挙筋を押圧するように、上顎又は下顎の歯列の特定部位における歯Ｔに貼り付ける。あるいは、その歯列全体における各歯Ｔに、肉厚の相違する貼着歯１をそれぞれに貼り付ける。このように、歯列全体に貼り付けたときは、歯の向きと形状を変化させるだけでなく、くすんだ歯を白い歯に仕上げることができる。
【００３５】
また、貼着歯１の貼着面４に、セメントの貼着力を向上させる細かい凹凸面を形成することで、剥離しづらくなり、安定した装着を可能にする。
【００３６】
図４は上顎歯列と表情筋（口筋）との位置関係を示す説明正面図である。図５は各表情筋（口筋）を示す説明側面図である。図６は図４における歯と表情筋との変化状態を示す説明側断面図であり、（ａ）は中切歯と口唇との位置関係、（ｂ）は犬歯と口唇との位置関係である。図７は図４におけると表情筋との変化状態を示す説明側断面図であり、（ｃ）は小臼歯と口筋の位置関係、（ｄ）は大臼歯と口筋の位置関係である。
人の口元の表情を可変させるために、口元の筋肉を形成する口輪筋、口角挙筋、口角下制筋等の口筋を押圧し、この口筋を上方へ持ち上げる程度の厚みを有する貼着歯１を特定の歯Ｔに貼り付ける。例えば、図６（ａ）、（ｂ）に示すように、貼着歯１を、口唇Ｌの幅を調整するために、口輪筋を持ち上げる位置にある、中切歯Ｔ１と犬歯Ｔ３に貼り付ける。このように、中切歯Ｔ１から、側切歯Ｔ２、犬歯Ｔ３までに貼着歯１を貼り付けたときは、口輪筋を持ち上げ、口元の表情の中で口唇Ｌの幅を調整することにより、赤唇Ｌ１が反転して、いわゆる薄い口唇Ｌが厚くなる。
【００３７】
貼着歯１を、図７（ｃ）に示すように、口唇Ｌの幅を調整すると同時に口角を挙げるために、口筋（口輪筋）を持ち上げる位置にある、小臼歯Ｔ５に貼り付ける。この口輪筋は口元を円状に囲んでいる筋肉で、口を閉じたり唇を突き出す筋肉である。この口輪筋が弱ってくると老けた顔になるといわれている表情筋（口筋）である。そこで、本発明の貼着歯１はこの口輪筋を持ち上げることにより、口元の微妙な表情を可変し、張りのある口元を演出することができる。
【００３８】
貼着歯１を、図７（ｄ）に示すように、貼着歯１を大頬骨筋を持ち上げる位置にある、小臼歯Ｔと大臼歯Ｔ６に貼り付ける。この大頬骨筋は頬全体を持ち上げるように、顔面の浅層にあたる上唇鼻翼挙筋、上唇挙筋及び小頬肩筋と連動している。この大頬骨筋は、口角を高く上げ、笑顔をつくる筋肉である。貼着歯１でこの大頬骨筋を押し上げることにより、豊麗線を消してシワを伸ばし、生き生きとした肌に変えることができる。
【００３９】
小臼歯Ｔ５群に貼着歯１を貼り付けたときは、口角挙筋を持ち上げ、この口角挙筋と連動している大頬骨筋を後上方に引き上げて、頬全体をリフトアップする。更に、この口角挙筋に連動する口角下制筋も引き上げられるので、顎の線がシャープになる。大頬骨筋に連なる眼輪筋にも影響するので目元も上がる。貼着歯１でこの大頬骨筋を押し上げることにより、豊麗線を消してシワを伸ばすことができる。口角下制筋は口角を下や斜め下に引く筋肉である。この口角下制筋が弱ると、口角から下アゴにかけて縦ジワができてやすい。そこで、貼着歯１でこの口角下制筋を後上方に引き上げ、頬全体をリフトアップすることができる。また、眼輪筋は目の周りを囲んだ筋肉であり、目を開けたり閉じたりする筋肉である。この眼輪筋は全体に薄いため、素早い動きをしてシワになりやすいが、連関している表情筋の影響によりこれを伸ばすことも可能である。
【００４０】
小臼歯Ｔ５群と大臼歯Ｔ６群に貼着歯１を貼り付けたときは、大頬骨筋を持ち上げ、この大頬骨筋と連動している顔面の浅層にあたる上唇鼻翼挙筋、上唇挙筋及び小頬肩筋も持ち上げることにより、頬全体を持ち上げることができる。小頬骨筋は口元を斜めに引き上げる、笑顔づくりに大切な筋肉である。頬のこわばりをなくし、それによって自然な笑顔にする筋肉である。貼着歯１でこの小頬骨筋を押し上げることにより、小頬骨筋の衰えによる頬のたるみを伸ばすことができる。
【００４１】
本発明の貼着歯１は必ずしも、上顎の歯Ｔのみに貼り付ける必要はない。下顎の特定部位の歯Ｔに貼り付けることも可能である。例えば、口唇Ｌが薄いときは上下の赤唇Ｌ１があらわれるように上下の歯Ｔに貼着歯１を貼り付ける。
【００４２】
図８は筋肉の物理モデルを示す説明図ある。
表情筋（口筋）には、図示するように、大頬骨筋や笑筋といったプレート型の筋肉と、眼輪筋や口輪筋といった環状の筋肉が存在する。環状の筋肉については、プレート型の筋肉モデルのパラメタに若干の加工を施し、これらをセグメント化して接続し、ひと続きのループを形成することでモデル化する。即ち、骨表面に接続した筋肉は、その中間（長さに関する影響範囲）に刺激、移動を加えると、この筋肉の多端に接続した皮膚表面（幅に関する影響範囲）に大きく影響する。これは、皮膚表面を動かす筋肉を可変することにより、その表情が大きく変化することを意味する。
本発明はこのような表情筋（口筋）の中間（長さに関する影響範囲）を、貼着歯１で刺激し、移動を加えることにより、皮膚表面（幅に関する影響範囲）に大きく影響を与えるようにしたものである。
【実施例２】
【００４３】
図９は複数個の貼着歯を連結した実施例２の６本用の貼着歯を示し、（ａ）は正面図、（ｂ）は平面図である。図１０は複数個の貼着歯を連結した実施例２の５本用の貼着歯を示し、（ａ）は正面図、（ｂ）は平面図である。
実施例２では、複数個の貼着歯１を連結した。凹んだ歯Ｔが複数本のときは、そこに貼り付ける貼着歯１も複数個必要になる。そこで、貼着歯１を、貼着歯本体２の側部で連結することができる。例えば、中切歯用の貼着歯１は外光を反射させて歯列、即ち口元に明るさを付与する機能があるので、例えば中切歯Ｔ１から側切歯Ｔ２、犬歯Ｔ３まで６本に貼りけられるように６個の貼着歯１を連結することが好ましい。この連結貼着歯は透明な樹脂からなるポケット５に歯Ｔを挿し込んで用いる。なお、この６本又は５本用は一例で２本以上であれば、これらの図示例の本数に限定されない。
この連結した貼着歯１は、ポケット５に歯Ｔを挿し込むことにより、装着することができるので仮装着に適している。
【００４４】
貼着歯１の貼着歯表面部３に図柄（図示していない）を形成することができる。例えば、貼着歯表面部３に所定の図柄を描出した貼着歯１、又は図柄を描出したシート状のものを貼り付けた貼着歯１を、中切歯用の貼着歯１、側切歯用の貼着歯１の一本又は数本に貼り付けることも可能である。
【００４５】
本発明では、このように貼着歯１を歯列の凹んだ歯Ｔに貼り付け、口筋の大部分を占める上下顎骨体前面における口元の筋肉を、上顎のときは上外方へ押し上げるように押圧し、下顎のときは下外方へ押圧することにより、その人の口元の表情を変化させることができる。即ち、不正歯列の凹んだ歯Ｔが原因していた口筋に変化を及ぼし、顔面の美的バランスが崩れているのを改善することができる。上下の咬合関係に関与することなく口元の表情を改善することができる。
【００４６】
次に、口元表情を可変するために本発明の貼着歯１の貼着例について説明する。
［貼着例（１）］
金属の冠歯が目だった人には、上顎の歯列に貼着歯１を貼り付けることにより、口元の表情が柔らいで見えるようになる。例えば、上顎の第二小臼歯の金属の冠歯等を、この貼着歯１で隠すことで、顔つきに清潔感が醸し出されるようになる。
［貼着例（２）］
テトラサイクリン着色が目だった人には、上顎又は下顎の歯列に貼着歯１を貼り付けることにより、このテトラサイクリン着色を目立たなくして、口元の印象を明るくすることができる。
【００４７】
［貼着例（３）］
顔の歪みが目だった人に、第一、第二小臼歯に貼着歯１を貼り付けることにより、顔の右側又は左側の暗さを解消して、顔の歪みがなくなり、かつ貼着歯１で歯全体が白くなり若々しく見えるようになる。
［貼着例（４）］
口角の歪みが目だった人には、上顎の歯列全体に貼着歯１を貼り付けることにより、口角の歪みがなくなり、口元に張りが出るようになる。
【００４８】
［貼着例（５）］
いわゆる前歯が目だった人には、上顎の中切歯、側切歯、第一、第二小臼歯に貼着歯１を貼り付けることにより、口角が上がり、顔全体が引き締まって見えるようになる。
【００４９】
［貼着例（６）］
暗い表情の人には、上顎の歯列全体に貼着歯１を貼り付けることにより、口元に華やかさが醸し出されるようになる。
［貼着例（７）］
口元に暗さがある人には、上顎の歯列全体に貼着歯１を貼り付けることにより、八重歯を隠して、口元の暗さを消すことができる。
【００５０】
なお、本発明は上述した発明の実施の形態に限定されず、歯を切削することなく、歯並びの悪い歯に貼着歯１を貼り付けることで、簡単かつ短時間で歯列を変形させ、口腔の周囲筋肉を貼着歯１で押圧することにより人の口元の表情を変化させることができれば、図示したような構成に限定されず、本発明の要旨を逸脱しない範囲で種々変更できることは勿論である。
【産業上の利用可能性】
【００５１】
本発明の貼着歯及びこれを用いた口元表情の可変方法は、歯を切削する必要がないので、一時的に貼着してから写真撮影用に取り外し自在な歯として利用する等の様々な用途に利用することができる。
【図面の簡単な説明】
【００５２】
【図１】実施例１の貼着歯を用いた口元表情の可変方法を示すフロー図である。
【図２】中切歯用の貼着歯の一例を示すものであり、（ａ）は拡大正面図、（ｂ）は拡大断面図、（ｃ）は貼着歯を貼り付ける前の歯列の正面図、（ｄ）は特定の歯に貼着歯を貼り付けた状態の歯列の正面図である。
【図３】臼歯用の貼着歯の一例を示すものであり、（ａ）は拡大正面図、（ｂ）は拡大断面図、（ｃ）は貼着歯を貼り付ける前の歯列歯列の正面図、（ｄ）は特定の歯に貼着歯を貼り付けた状態の歯列の正面図である。
【図４】上顎歯列と口筋との位置関係を示す説明正面図である。
【図５】各口筋を示す説明側面図である。
【図６】図４における歯と口筋との変化状態を示す説明側断面図であり、（ａ）は中切歯と口唇との位置関係、（ｂ）は犬歯と口唇との位置関係である。
【図７】図４におけると口筋との変化状態を示す説明側断面図であり、（ｃ）は小臼歯と表情筋の位置関係、（ｄ）は大臼歯と表情筋の位置関係である。
【図８】筋肉の物理モデルを示す説明図ある。
【図９】複数個の貼着歯を連結した実施例２の６本用の貼着歯を示し、（ａ）は正面図、（ｂ）は平面図である。
【図１０】複数個の貼着歯を連結した実施例２の５本用の貼着歯を示し、（ａ）は正面図、（ｂ）は平面図である。
【符号の説明】
【００５３】
１  貼着歯
２  貼着歯本体
３  貼着歯表面部
４  貼着面
５  ポケット
Ｔ  歯
Ｔａ  貼着歯本体の根元部分
Ｔｂ  貼着歯本体の中間部位
Ｔｃ  貼着歯本体の先端部位
Ｔ１  中切歯
Ｔ３  犬歯
Ｔ５  小臼歯
Ｔ６  大臼歯
Ｌ  口唇
Ｌ１  赤唇
Ｓ１  型どり
Ｓ２  歯列の測定
Ｓ３  顔面シミュレーション
Ｓ４  貼着歯の形状・厚みの測定
Ｓ５  貼着歯の作成
Ｓ６  セメント貼着
Ｓ７  歯への貼り付け
【図１】
2008113851.tif 000003
【図２】
2008113851.tif 000004
【図３】
2008113851.tif 000005
【図４】
2008113851.tif 000006
【図５】
2008113851.tif 000007
【図６】
2008113851.tif 000008
【図７】
2008113851.tif 000009
【図８】
2008113851.tif 000010
【図９】
2008113851.tif 000011
【図１０】
2008113851.tif 000012